(57)【特許請求の範囲】
【請求項１】
室内側ユニット本体と、
この本体の一側部に収納され、外気の室内への給気又は室内空気の室外への排気を行う換気用送風機と、
前記本体の他側部に設けられた冷凍サイクルの冷媒配管等と、
前記換気用送風機に接続された換気ダクトと、
前記本体の背面に設けられ、前記冷媒配管等又は前記換気ダクトを収納する背面収納空間部とを備え、前記本体の一側部に対向して壁の配管用開口部を設ける場合は前記背面収納空間部に前記冷媒配管等を収納し、前記本体の他側部に対向して壁の配管用開口部を設ける場合は前記背面収納空間部に前記換気ダクトを収納する構成とし、前記換気用送風機を前記冷媒配管等とは逆の本体の側部に収納し、さらに前記換気用送風機を以下の構成としたことを特徴とする空気調和機。
（ａ）換気用送風機は、前記給気又は排気に対応した回転可能なファンを有する；
（ｂ）換気用送風機の風路の一方の終端が前記室内側ユニット本体の正面側下部、風路の他方の終端が前記室内側ユニット本体の前記背面収納空間部に位置する；
（ｃ）前記室内側ユニット本体は熱交換器を備え、換気用送風機は前記熱交換器の反冷媒配管側に隣接して側部に設置される。
【請求項２】
前記背面収納空間部に収納される換気ダクトを伸縮自在の蛇腹チューブで構成したことを特徴とする請求項１記載の空気調和機。
【請求項３】
前記冷媒配管の長さを前記本体の横幅以上の長さとし、前記冷媒配管に接続される延長配管との接続部が室外に出るように構成としたことを特徴とする請求項１又は２記載の空気調和機。
【発明の詳細な説明】
【０００１】
【発明の属する技術分野】
この発明は、換気用送風機を備えた空気調和機に係り、詳しくは換気用送風機の性能向上を図るとともに、サービス性・解体作業効率向上ならびに換気用送風機付空気調和機の据付作業の改善に関するものである。
【０００２】
【従来の技術】
従来の換気用送風機を備えた空気調和機として、以下に示すものが知られている。
（１）空気調和機本体と換気用送風機を分割し、空気調和機本体の左右いずれかに換気用送風機を螺子を用いて係止したもの。
（２）空気調和機本体の右側電気品箱横もしくは下側に内蔵したもの。
（３）室外の壁近傍に換気用送風機を取付たもの。
【０００３】
【発明が解決しようとする課題】
上記従来の換気用送風機を備えた空気調和機の解決すべき課題を以下に述べる。
（１）空気調和機本体と換気用送風機を分割したものは、据付作業が複雑であり据付に時間がかかる。
（２）空気調和機本体の右側電気品箱横もしくは下側に換気用送風機を内蔵したものは、室内側ユニットの左方向に換気ダクトを配する据付作業時にはボックス風路背面の限られた収納スペース内に冷媒配管と換気ダクトを同時に収納するため、換気ダクトの有効面積を確保できずに圧損が増大し充分な換気風量を得られないとともに、騒音が増大する。
（３）室外の壁近傍に換気用送風機を取付たものは、室内側ユニットの標準据付と別に換気用送風機の据付作業が発生するとともに、換気用送風機と空気調和機本体とを連動させる電気配線が必要になり据付工事が面倒である。
【０００４】
この発明は、かかる課題を解決するためになされたもので、換気用送風機の換気ダクトによる風量低下と騒音悪化を抑制することにより換気性能の向上を図り、また換気用送風機自体の円滑な風路を構成させることにより性能向上を図るとともに、換気用送風機の解体作業性向上によるリサイクル推進および据付作業時間の短縮と効率化を容易な構造で達成することができる換気用送風機を備えた空気調和機を提供することを目的とする。
【０００５】
【課題を解決するための手段】
この発明に係る空気調和機は、室内側ユニット本体と、この本体の一側部に収納され、外気の室内への給気又は室内空気の室外への排気を行う換気用送風機と、本体の他側部に設けられた冷凍サイクルの冷媒配管等と、換気用送風機に接続された換気ダクトと、本体の背面に設けられ、冷媒配管等又は換気ダクトを収納する背面収納空間部とを備え、本体の一側部に対向して壁の配管用開口部を設ける場合は背面収納空間部に冷媒配管等を収納し、本体の他側部に対向して壁の配管用開口部を設ける場合は背面収納空間部に換気ダクトを収納する構成とし、換気用送風機を冷媒配管等とは逆の本体の側部に収納し、さらに換気用送風機を以下の構成としたことを特徴とする。
（ａ）換気用送風機は、給気又は排気に対応した回転可能なファンを有する；
（ｂ）換気用送風機の風路の一方の終端が室内側ユニット本体の正面側下部、風路の他方の終端が室内側ユニット本体の背面収納空間部に位置する；
（ｃ）室内側ユニット本体は熱交換器を備え、換気用送風機は熱交換器の反冷媒配管側に隣接して側部に設置される。
【００１７】
また、背面収納空間部に収納される換気ダクトを伸縮自在の蛇腹チューブで構成したものである。
【００１９】
また、冷媒配管の長さを本体の横幅以上の長さとし、冷媒配管に接続される延長配管との接続部が室外に出るように構成としたものである。
【００２０】
【発明の実施の形態】
以下、この発明の実施の形態を図面に基づいて説明する。
実施の形態１．
図１〜３は実施の形態１を示す図で、図１は換気用送風機を空気調和機の室内側ユニットの左端内部に配置した斜視図、図２は室内側ユニットのボックス風路背面の収納スペースに換気ダクトを配置した状態の背面斜視図、図３は室内側ユニットのボックス風路背面の収納スペースに冷媒配管を配置した状態の背面斜視図である。
【００２１】
図において、１はセパレート型空気調和機の室内側ユニット、２は室内側ユニット１の背面側下部に設けられた配管収納スペース、３は室内側ユニット１の前面から見て左側部に設けられ、外気の室内への給気又は室内空気の室外への排気を行う換気用送風機、４は換気用送風機３に換気ダクトＡ５を接続する接続部材Ａであり、換気ダクトＡ５はボックス背面の背面収納空間部である配管収納スペース２に収納される。６は冷凍サイクルの冷媒配管で、室内側ユニット１の前面から見て右側部に設けられている。２５は冷凍サイクルの熱交換器で冷媒配管６が接続されている。
【００２２】
上記のように構成された空気調和機を据え付ける際に、壁の配管開口部ともいう配管穴を室内側ユニット１の右側端部に対向する位置にあけて据え付ける場合について説明する。
図２に示すように、換気用送風機３に接続部材Ａ４を介して接続された換気ダクトＡ５は、ボックス背面の配管収納スペース２に収納され、室内側ユニット１の右側部から冷媒配管６等（例えばドレンホース、電気配線を含む）とともに、室内側ユニット１の右側端部に対向する位置にあけられた壁の配管穴から室外に導かれ室外側ユニット（図示せず）に接続される。
【００２３】
従って、この場合はボックス背面の配管収納スペース２に換気ダクトＡ５だけが収納されるので、従来の換気用送風機を冷媒配管等とともに室内側ユニットの一側端部に収納し、かつ他側端部に対向する壁の配管穴から室外に出すものと比較すると、配管収納スペース２を小さくできるか、または換気ダクトＡ５の断面積を大きくできる利点がある。
換気ダクトＡ５の断面積が大きく確保できることにより、ダクト面積の影響による圧損とダクトの長さによる圧損を少なくでき、換気風量の低下を防止するとともに、換気ダクト内の流速を低速化できることにより、騒音を減少させる効果が得られる。
【００２４】
また、図３に示すように、壁の配管穴が室内側ユニット１の左側端部に対向する位置にあけられた場合は、冷媒配管６等はボックス背面の配管収納スペース２に収納され、室内側ユニット１の左側部から換気ダクトＡ５とともに室内側ユニット１の左側端部に対向する位置にあけられた壁の配管穴から室外に導かれ室外側ユニットに接続される。
【００２５】
従って、この場合もボックス背面の配管収納スペース２に冷媒配管６等だけが収納されるので、従来の換気用送風機を冷媒配管等とともに室内側ユニットの一側端部に収納し、かつ他側端部に対向する壁の配管穴から室外に出すものと比較すると、配管収納スペース２を小さくできる利点がある。
【００２６】
また、配管収納スペース２に換気ダクトＡ５または冷媒配管６等のどちらか一方だけを収納するため、配管収納スペース２を広く有効に使えることにより据付作業が容易となる。
【００２７】
さらに、配管収納スペース２に換気ダクトＡ５または冷媒配管６等のどちらか一方だけを収納するため、配管収納スペース２を小さくすることができ換気用送風機３を備えた空気調和機の室内側ユニット１の小型化が可能である。
【００２８】
上述の実施の形態では、換気用送風機３を室内側ユニット１の前面から見て左側部に設け、冷凍サイクルの冷媒配管６等を室内側ユニット１の前面から見て右側部に設けたものを示したが、冷媒配管６等を室内側ユニット１の左側部に設け、換気用送風機３を室内側ユニット１の右側部に設けてもよい。
どちらの場合も、ボックス背面の配管収納スペース２には、冷媒配管６又は換気用送風機３の換気ダクトＡ５の何れか一方を収納すればよい。
【００２９】
実施の形態２．
図４，５は実施の形態２を示す図で、換気送風機の風路構成用左右ケーシングにより構成された風路内の片側終端近傍に逆風防止用弁を設けた換気送風機を備えた空気調和機の室内側ユニットの断面図、図５はセンサー取付具による固着状態の部分詳細横断面図である。
【００３０】
図４において、１〜６は実施の形態１で示したものと同じものである。７は風路構成部材の一例の風路構成用左右ケーシング、８は風路構成左右用ケーシング７により構成される風路、９は電動機で駆動される正転・逆転の切換可能なファン、１０は風路８内に設けられた逆風防止手段の一例の逆風防止用弁、１１は逆風防止用弁１０を自動開閉させるための駆動モータ、１２は駆動モータ１１から逆風防止用弁１０に駆動力を伝達するための歯車列、１３は逆風防止用弁１０の位置検出センサー、１４は風路８の片側終端部近傍に設けられた空気清浄フィルタ、１５は空気調和機の室内側ユニット１に設けられた空気清浄フィルタ１４の挿抜口、１６は温度・湿度等を検知するためのセンサー類を具備するためのセンサー取付具、１７は風路８の片側終端部に接続される換気ダクトＢ、２４は壁に設けられた換気ダクト１７を通す配管穴である。
【００３１】
換気用送風機３の風路構成用左右ケーシング７により構成された風路８内の片側終端近傍湾曲部に、換気用送風機３の停止時における逆風防止用弁１０を設け、逆風防止用弁１０の形状を湾曲部中心軸にて構成される平滑面に形状を略一致させることにより、換気用送風機３の運転時には整流板として利用する。
逆風防止用弁１０が開いた時には、整流板として機能することにより風路８内の乱流発生を抑制し、風量の低下と騒音の悪化を抑制する。
逆風防止用弁１１が閉じた時は、外気や虫が室内に侵入するのを防止できる。
【００３２】
換気用送風機３の風路８内に設けた逆風防止用弁１１は、自動開閉させるための駆動モータ１１により駆動力を伝達する歯車列１２を介して駆動する自動開閉手段により自動開閉するとともに、換気送風機３の運転状態を検知するための位置検出センサー１３により、停止時には逆風防止用弁１１を確実に閉じた位置に制御し、空気の流通を遮断することで室内および室外の温度差と湿度差により換気用送風機３と換気ダクトＢ１７の内部および外郭に露が付くことを確実に抑制する。
【００３３】
換気用送風機３の風路構成用左右ケーシング７により構成された風路８内の換気用送風機３の排気運転時に排気口となる一側終端近傍に空気清浄フィルタ１４を備えるとともに、室内側ユニット１の前面下部に空気清浄フィルタの挿抜口１５を設けている。室内側ユニット１の前面下部に空気清浄フィルタ１４を挿抜する挿抜口１５を設けることにより、空気清浄フィルタ１４の清掃作業を簡単に実施することができる。
【００３４】
換気用送風機３の風路構成用左右ケーシング７により構成された風路８内に室内および室外の温度・湿度等を検知するためのセンサー類を備えるためのセンサー取付具１６を風路構成用左右ケーシング７に設けている。このセンサー取付具１６は風路８内側形状に略一致させることにより、風路８内の気流の流れをスムーズにするとともにセンサー類を確実に作動し得る位置に設置できる。
【００３５】
また、図５に示すようにセンサー取付具１６を風路構成用左右ケーシング７の固着手段である固着部品として使用することにより、ワンタッチで取付・取外しができる構造とし、換気用送風機を分解することなくサービス性の向上を図るとともに、螺子によるかかり止めを最低限に押さえ、製品廃却時における換気送風機３の解体作業時間の短縮を図り、リサイクル性の向上を図ることができる。
【００３６】
実施の形態３．
図６は実施の形態３を示す図で、室内側ユニットのボックス風路背面収納スペースに収納される換気ダクトと接続ダクトとの接続状態を示す斜視図である。
図において、５はボックス風路背面の配管収納スペース２に収納される第１の換気ダクトである換気ダクトＡ、１７は壁に設ける配管穴２４に挿通可能な断面が半円形状の第２の換気ダクトである換気ダクトＢ、１８は換気ダクトＡ５と換気ダクトＢ１７を接続する接続部材Ｂである。
半円形状の換気ダクトＢ１７は、残りの半円部分に冷媒配管、ドレンホース、電気配線等が配設されて壁に設ける配管穴２４から室外に出される。
【００３７】
この接続部材Ｂ１８には換気ダクトＡ５との簡易固定可能な係合部材である複数の爪１９を有するとともに、換気ダクトＡ５には爪１９と嵌合する嵌合開口部である複数の嵌合部２０が設けられている。接続部材Ｂ１８は換気ダクトＡ５と回転自在に可動し、換気ダクトＢ１８の半円の向きを任意の方向に切換できるとともに、爪１９により位置決めと抜け防止を兼ね備えた固定部により固定される。
【００３８】
上述の実施の形態によれば、接続部材Ｂ１８により換気ダクトＡ５の向きを任意の方向に切換できるとともに、爪１９により位置決めと抜け防止を兼ね備えた固定部を備えることにより部品の種類を減らし、共通化を図ることができ、コスト低減が図れる。
【００３９】
実施の形態４．
図７は実施の形態４を示す図で、室内側ユニットのボックス風路背面収納スペースに収納される換気ダクトの斜視図である。
図において、２１は伸縮自在の蛇腹チューブで構成された換気ダクトＡであり、室内側ユニット１のボックス風路背面の配管収納スペース２に収納される。
【００４０】
換気ダクトＡ２１に伸縮自在の蛇腹チューブを使用することにより、室内側ユニット１と壁に設けた配管穴２４との位置ズレに影響されずに据付作業を行うことができる。
【００４１】
実施の形態５．
換気用送風機を備えたセパレート型空気調和機において、空気調和機の冷凍サイクル用冷媒に代替フロンを用いることにより、室内側ユニット１と室外側ユニットとを接続する冷媒配管６の径を冷房能力の大小に左右されずに同一径とすることが可能になり、壁に設けた配管穴２４を拡大することもなく、換気ダクトＢ１７の面積を確保することで換気風量低下と騒音悪化とを抑制できるようにしたものである。
代替フロンとしてＨＦＣ系冷媒が用いられるが、その代表的なものはＲ４１０Ａ，Ｒ４０７Ｃ等である。
Ｒ２２冷媒の場合は、３．２ＫＷ未満のセパレート型空気調和機ではガス管が９．５２Φ、３．２ＫＷ以上ではガス管が１２．７Φが使用されている。
これに対し、例えばＲ４１０Ａを用いた場合はガス管は冷房能力に拘わらず９．５２Φでよい。これは、Ｒ４１０Ａの方がＲ２２よりも同一凝縮温度及び蒸発温度において冷媒の流速が遅くなるためである。
【００４２】
実施の形態６．
図８は実施の形態６を示す図で、室内側ユニットに内蔵した熱交換器に接続された冷媒配管の長さを少なくとも室内側ユニットの横幅以上に延長し壁の配管穴に挿通した状態を示す図である。
図において、換気用送風機３を備えたセパレート型空気調和機は、室内側ユニット１に内蔵した熱交換器２５に接続された冷媒配管６の長さを少なくとも室内側ユニット１の横幅以上に延長することにより、室内側ユニット１の冷媒配管６を引き出す方向が左右どちらの場合でも、冷媒配管６と延長配管２２を接続するためのナット部２３が、壁に設けた配管穴２４から室外に突出させることにより、換気ダクトＢ１７を冷媒配管６とともに配管穴２４に挿通する際にナット部２３の影響を受けずに挿通でき据付作業が容易になる。
【００４３】
【発明の効果】
この発明に係る空気調和機は、空気調和機を据付る際に背面収納空間部に換気ダクトまたは冷媒配管を収納するので、背面収納空間部に換気ダクトを収納する場合には、従来の換気用送風機を冷媒配管等とともに室内側ユニットの一側端部に収納し、かつ他側端部に対向する壁の配管穴から室外に出すものと比較すると、背面収納空間部を小さくできるか、または換気ダクトの断面積を大きくできる利点がある。
換気ダクトの断面積が大きく確保できることにより、ダクト面積の影響による圧損とダクトの長さによる圧損を少なくでき、換気風量の低下を防止するとともに、換気ダクト内の流速を低速化できることにより、騒音を減少させる効果が得られる。
背面収納空間部に冷媒配管等を収納する場合は、従来の換気用送風機を冷媒配管等とともに室内側ユニットの一側端部に収納し、かつ他側端部に対向する壁の配管穴から室外に出すものと比較すると、背面収納空間部を小さくできる利点がある。
また収納スペースに換気ダクトまたは冷媒配管のどちらか一方しか収納しないため、収納スペースを広く有効に使えることにより据付作業が容易となる。
さらに、換気用送風機を備えた空気調和機の室内側ユニットの小型化が可能である。
【００５１】
また、背面収納空間部に収納される換気ダクトを伸縮自在の蛇腹チューブで構成したので、室内側ユニットと壁に設けた配管用開口部との位置ズレに影響されずに据付作業を行うことができる。
【００５３】
また、冷媒配管の長さを本体の横幅以上の長さとし、冷媒配管に接続される延長配管との接続部が室外に出るように構成としたので、換気ダクトを冷媒配管とともに配管用開口部に挿通する際にナット部の影響を受けずに挿通できるようにすることで据付作業を容易にすることができる。
【図面の簡単な説明】
【図１】  実施の形態１を示す図で、換気用送風機を空気調和機の室内側ユニットの左端内部に配置した斜視図である。
【図２】  実施の形態１を示す図で、室内側ユニットのボックス風路背面の収納スペースに換気ダクトを配置した状態の背面斜視図である。
【図３】  実施の形態１を示す図で、室内側ユニットのボックス風路背面の収納スペースに冷媒配管を配置した状態の背面斜視図である。
【図４】  実施の形態２を示す図で、換気送風機の風路構成用左右ケーシングにより構成された風路内の片側終端近傍に逆風防止用を設けた換気送風機を備えた空気調和機の室内側ユニットの断面図である。
【図５】  実施の形態２を示す図で、センサー取付具による固着状態の部分詳細横断面図である。
【図６】  実施の形態３を示す図で、室内側ユニットのボックス風路背面収納スペースに収納される換気ダクトと接続ダクトとの接続状態を示す斜視図である。
【図７】  実施の形態４を示す図で、室内側ユニットのボックス風路背面収納スペースに収納される換気ダクトの斜視図である。
【図８】  実施の形態６を示す図で、室内側ユニットに内蔵した熱交換器に接続された冷媒配管の長さを少なくとも室内側ユニットの横幅以上に延長し壁の配管穴に挿通した状態を示す図である。
【符号の説明】
１  室内側ユニット、２  配管収納スペース、３  換気用送風機、４  接続部材Ａ、５  換気ダクトＡ、６  冷媒配管、７  風路構成用左右ケーシング、８  風路、９  正転・逆転の切換可能ファン、１０  逆風防止用弁、１１  自動開閉させるための駆動モータ、１２  歯車列、１３  位置検出センサー、１４  空気清浄フィルタ、１５  挿抜口、１６  センサー取付具、１７  換気ダクトＢ、１８  接続部材Ｂ、１９  爪、２０  嵌合部、２１  伸縮自在の蛇腹チューブで構成された換気ダクトＡ、２２  延長配管、２３  ナット部、２４  配管穴、熱交換器。
【図１】
0003745916.tif 000002
【図２】
0003745916.tif 000003
【図３】
0003745916.tif 000004
【図４】
0003745916.tif 000005
【図５】
0003745916.tif 000006
【図６】
0003745916.tif 000007
【図７】
0003745916.tif 000008
【図８】
0003745916.tif 000009